(57)【要約】      （修正有）【課題】扉のロックと物品の安置、および使用者に物品を持って行くよう気づかせる効果を備えた改良型錠装置を提供する。【解決手段】軸座体１、物置ユニット２、ガイドユニット３を含み、軸座体が壁に設置するために用いられ、壁の一側に開閉自在の扉が設置され、物置ユニットが軸座体と可動的に結合され、物置ユニットの自由端部２３が壁の一側に突出して扉を押さえるために用いられ、ガイドユニットが壁に設置するために用いられ、ガイドユニットが物置ユニットの一側に設置され、かつガイドユニットが物置ユニットをガイドし、扉を閉めた後、軸座体とガイドユニットを組み合わせた回動により物置ユニットの自由端部で扉を押さえ、物置ユニットによる扉の規制によってロックした状態が形成され、かつロックした状態下で物品を物置ユニットに置くことができる構成とした。【選択図】図１
2018084055.tif 000002
【特許請求の範囲】
【請求項１】
改良型錠装置であって、
一側に開閉自在の扉を有する壁に設置するために用いられる軸座体と、
前記軸座体に可動的に結合され、前記壁の一側に突出し、前記扉を押さえるために用いる自由端部を備えた物置ユニットと、
前記壁に設置され、かつ前記物置ユニットの一側に設けられ、前記物置ユニットをガイドするために用いられるガイドユニットと、
を含むことを特徴とする、改良型錠装置。
【請求項２】
前記軸座体が、座体と、前記座体の一面上に設けられた枢軸を含み、前記座体が前記壁に設置するために用いられ、前記枢軸が前記物置ユニットと可動的に結合されることを特徴とする、請求項１に記載の改良型錠装置。
【請求項３】
前記物置ユニットが少なくとも１つの収容エリアを備えていることを特徴とする、請求項１に記載の改良型錠装置。
【請求項４】
前記物置ユニットの一側にガイド棒が設けられ、前記ガイド棒が前記ガイドユニットによりガイドされることを特徴とする、請求項１に記載の改良型錠装置。
【請求項５】
前記ガイドユニットが固定座体と、前記固定座体の一側面上に設けられたガイド溝を含み、前記固定座体が前記壁に設置するために用いられ、前記物置ユニットのガイド棒が前記ガイド溝と可動的に結合されることを特徴とする、請求項４に記載の改良型錠装置。
【請求項６】
前記固定座体が円弧状を呈し、前記ガイド溝も前記固定座体に対応して円弧状を呈することを特徴とする、請求項５に記載の改良型錠装置。
【発明の詳細な説明】
【技術分野】
【０００１】
本発明は改良型錠装置に関し、特に、扉をロックする機能と物品を置く空間を兼ね備えた、改良型錠装置に関する。
【背景技術】
【０００２】
一般的な従来の公衆トイレは、使用者のプライバシーを保護するために、通常扉に錠装置が設置されており、使用者が自分で操作してロックすることができ、例えば、扉に設置した閂に、壁に設置した閂鎹を組み合わせるなどにより、使用者がトイレを使用するとき、閂を閂鎹に通すことで扉をロックし、プライバシー保護に使用することができる。
【０００３】
しかしながら、上述の従来の錠装置は、使用者のプライバシー保護に使用することはできるものの、一般に人が公衆トイレを使用するとき、使用者は通常手持ちの物品（例：手提げ袋、携帯電話、バッグなど）があり、置き場所に困ることがある。一般的な状況下で、使用者は通常物品をティッシュペーパーの上や水洗タンクの上、または直接床の上に置いており、使用者がトイレの使用を終えてトイレを出るとき、物品を置いた位置が分かりづらく、忘れてしまう状況が発生し、使用者が物品を取りに戻る必要があるだけでなく、他人に持っていかれてしまい、紛失する状況も発生する。
【０００４】
このため、従来の欠点を効果的に改善し、錠装置が物品を置くための空間を兼ね備え、ロックを解除するとき使用者に物品を取ることに気づかせることができる、改良型錠装置をどのように提供するかが、本発明の積極的に開示する点である。
【発明の概要】
【発明が解決しようとする課題】
【０００５】
上述の従来技術の欠点に鑑み、発明者はその不完全な点を克服するべく研究を重ね、この改良型錠装置の開発に至ったものである。本発明の目的は、ロックした状態下で物品を物置ユニットに置くことができ、ロックを解除するとき使用者に物品を取ることに気づかせ、扉のロックと物品の安置、および使用者に物品を持って行くように気づかせることができる、改良型錠装置を提供することにある。
【課題を解決するための手段】
【０００６】
上述の目的及びその他目的を達するため、本発明の改良型錠装置は、軸座体、物置ユニット、ガイドユニットを含み、前記軸座体が壁に設置するために用いられ、前記壁の一側に開閉自在の扉が設置され、前記物置ユニットが前記軸座体と可動的に結合され、前記物置ユニットが自由端部を備え、前記自由端部が前記壁の一側に突出し、前記扉を押さえるために用いられ、前記ガイドユニットが前記壁に設置するために用いられ、前記ガイドユニットが前記物置ユニットの一側に設置され、かつ前記ガイドユニットが前記物置ユニットをガイドする。
【０００７】
上述の改良型錠装置において、前記軸座体は、座体と、前記座体の一面上に設けられた枢軸を含み、前記座体が前記壁に設置するために用いられ、前記枢軸が前記物置ユニットと可動的に結合される。
【０００８】
上述の改良型錠装置において、前記物置ユニットは少なくとも１つの収容エリアを備えている。
【０００９】
上述の改良型錠装置において、前記物置ユニットの一側にガイド棒が設けられ、前記ガイド棒が前記ガイドユニットによりガイドされる。
【００１０】
上述の改良型錠装置において、前記ガイドユニットは固定座体と、前記固定座体の一側面上に設けられたガイド溝を含み、前記固定座体が前記壁に設置するために用いられ、前記物置ユニットのガイド棒が前記ガイド溝と可動的に結合される。
【００１１】
上述の改良型錠装置において、前記固定座体は円弧状を呈し、前記ガイド溝は前記固定座体に対応して円弧状を呈することができる。
【発明の効果】
【００１２】
この構成により、本発明の改良型錠装置は、軸座体とガイドユニットを壁上に設置し、扉を閉めた後、軸座体とガイドユニットを組み合わせた回動により物置ユニットで扉を押さえ、物置ユニットによる扉の規制によってロックした状態を形成し、かつロックした状態下で物品を物置ユニットに置くことができ、かつロックを解除するとき、先に物置ユニット上の物品を取ってから、ロックを解除するため、扉のロックと物品の安置、および使用者に物品を持って行くように気づかせることができる。
【図面の簡単な説明】
【００１３】
【図１】本発明の最良の実施例の立体外観図である。
【図２】本発明の最良の実施例の立体分解図である。
【図３】本発明の最良の実施例のロックしていない状態を示す立体斜視図である。
【図４】本発明の最良の実施例のロックした状態を示す立体斜視図である。
【発明を実施するための形態】
【００１４】
本発明の目的、特徴、効果について充分に理解できるように、以下で具体的な実施例に添付の図面を組み合わせ、本発明について詳細に説明する。
【００１５】
図１、図２、図３、図４に、本発明の最良の実施例の立体外観図、本発明の最良の実施例の立体分解図、本発明の最良の実施例のロックしていない状態の立体斜視図、本発明の最良の実施例のロックした状態の立体斜視図をそれぞれ示す。これらの図に示すように、本発明の改良型錠装置は、少なくとも、軸座体１、物置ユニット２、ガイドユニット３を含んで構成される。
【００１６】
上述の軸座体１は座体１１と、前記座体１１の一面上に設けられた枢軸１２を含む。
【００１７】
前記物置ユニット２は前記軸座体１に可動的に結合され、前記物置ユニット２は少なくとも１つの収容エリア２１を備えている。かつ前記物置ユニット２の一側が前記枢軸１２に可動的に結合され、前記物置ユニット２の一側にガイド棒２２が設置され、さらに前記物置ユニット２は一端に自由端部２３を備えている。
【００１８】
前記ガイドユニット３は前記物置ユニット２の一側に設置され、かつ前記ガイドユニット３は前記物置ユニット２に可動的に結合され、前記ガイドユニット３が前記物置ユニット２のガイド棒２２をガイドすることができ、前記ガイドユニット３は固定座体３１と、前記固定座体３１の一側面上に設けられたガイド溝３２を含み、前記物置ユニット２のガイド棒２２と前記ガイド溝３２が可動的に結合される。そのうち、前記固定座体３１は円弧状を呈し、前記ガイド溝３２も前記固定座体３１に対応して円弧状を呈することができる。
【００１９】
本発明の使用時は、前記軸座体１の座体１１と前記ガイドユニット３の固定座体３１を壁４上に設置し、前記壁４の一側には開閉自在の扉５があり、一般的には公衆トイレの壁４の内側に設置することができ（但し、これに限らない）、かつ前記軸座体１と前記ガイドユニット３の間に適切な距離（即ち、物置ユニット２一側の枢軸１２とガイド棒２２間の距離）が形成される。ただし、実際の運用時、本発明は必要に応じて前記軸座体１と前記ガイドユニット３を扉５上に設置してもよく、異なる運用状況のニーズに合わせることができる。
【００２０】
開放状態のとき、前記物置ユニット２の自由端部２３は扉５から離れた位置にあり、前記物置ユニット２及びその収容エリア２１は傾斜状（または略直立状）を呈し、前記収容エリア２１に物品を置くことはできない状態となる。かつ、前記物置ユニット２の一側が前記壁４に対応し、同時に前記物置ユニット２一側のガイド棒２２がガイド溝３２の扉５から離れた一端に位置する。
【００２１】
ロックするときは、前記物置ユニット２が扉５の方向に向かって回動され、枢軸１２を円心として、前記物置ユニット２一側のガイド棒２２がガイド溝３２内で元の開放状態の一端（扉５から離れた一端）から他方の一端（扉５に近い一端）へと移動される。前記物置ユニット２のガイド棒２２がガイド溝３２内が他端の底部まで移動されると、前記ガイド棒２２がガイド溝３２の他端内側の制限を受けてそれ以上移動できなくなる。このとき、前記物置ユニット２は回動されて水平の状態となり、同時に前記物置ユニット２の自由端部２３の一側が前記壁４から突出して扉５と相互に当接され、扉５を押さえる形となり、扉５が前記物置ユニット２により規制されてロック状態が形成されるほか、同時に前記物置ユニット２の収容エリア２１が上向きとなり、物品を置くことができる状態となる。この構成により、使用者はロックした状態下で物置ユニット２の収容エリア２１内に物品を置いたり、物品のストラップを前記物置ユニット２上に掛けたりすることができ、ロックと物品を置く機能を兼ね備えることができる。
【００２２】
使用者がトイレの使用を終え、ロックを解除してトイレから出たいときは、先に収容エリア２１内の物品を取り出す、または前記物置ユニット２上に掛けた物品のストラップを取り外す必要があり、その後反対方向に前記物置ユニット２を移動させて、前記物置ユニット２の自由端部２３を扉５から離れた位置にすると、前記物置ユニット２及びその収容エリア２１が物品を置くことができない傾斜状（または略直立状）になり、前記物置ユニット２の一側が前記壁４に対応し、同時に前記ガイド棒２２がガイド溝３２の扉５から離れた一端に位置して、前記自由端部２３の一側が扉５から離れ、扉５に当接されて扉５を押さえた状態ではなくなり、ロック解除の動作が完了して前記扉５を開くことができる。本発明の物置ユニット２はロックと物を置く機能を兼ね備えており、かつ設置位置は使用者がトイレを出るときに必ず操作しなければならない場所であるため、使用者がトイレを出るとき先に物置ユニット２上に置いた物品を取ることに気づかせてから、ロック解除を行うため、物品を置き忘れる状況の発生を効果的に回避することができる。
【００２３】
本発明は上述で最良の実施例を開示したが、当業者であれば理解できるように、この実施例は単に本発明を説明するために用いたのみであり、本発明の範囲を限定すると理解されるべきではない。注意すべきは、この実施例と同等効果を有する変化および置換はすべて、本発明の範疇内に含まれることである。このため、本発明の保護範囲は、特許請求の範囲の定義に準じる。
【符号の説明】
【００２４】
１            軸座体
１１          座体
１２          枢軸
２            物置ユニット
２１          収容エリア
２２          ガイド棒
２３            自由端部
３            ガイドユニット
３１          固定座体
３２          ガイド溝
４            壁
５            扉
【図１】
2018084055.tif 000003
【図２】
2018084055.tif 000004
【図３】
2018084055.tif 000005
【図４】
2018084055.tif 000006
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
改良型錠装置であって、
一側に開閉自在の扉を有する壁に設置するために用いられる軸座体と、
前記軸座体に可動的に結合された物置ユニットであって、前記物置ユニットが少なくとも１つの収容エリアおよび自由端部を備え、
前記収容エリアが前記物置ユニットに複数の溝と共に凹状に形成され、前記複数の溝が収容エリアの両側の縁に形成され、前記自由端部が前記壁の一側に突出し、前記扉を押さえるために用いられる、物置ユニットと、
前記壁に設置され、かつ前記物置ユニットの一側に設けられ、前記物置ユニットをガイドするために用いられるガイドユニットと、
を含むことを特徴とする、改良型錠装置。
【請求項２】
前記軸座体が、座体と、前記座体の一面上に設けられた枢軸を含み、前記座体が前記壁に設置するために用いられ、前記枢軸が前記物置ユニットと可動的に結合されることを特徴とする、請求項１に記載の改良型錠装置。
【請求項３】
前記物置ユニットの一側にガイド棒が設けられ、前記ガイド棒が前記ガイドユニットによりガイドされることを特徴とする、請求項１に記載の改良型錠装置。
【請求項４】
前記ガイドユニットが固定座体と、前記固定座体の一側面上に設けられたガイド溝を含み、前記固定座体が前記壁に設置するために用いられ、前記物置ユニットのガイド棒が前記ガイド溝と可動的に結合されることを特徴とする、請求項３に記載の改良型錠装置。
【請求項５】
前記固定座体が円弧状を呈し、前記ガイド溝も前記固定座体に対応して円弧状を呈することを特徴とする、請求項４に記載の改良型錠装置。
【手続補正２】
【補正対象書類名】明細書
【補正対象項目名】０００８
【補正方法】変更
【補正の内容】
【０００８】
上述の改良型錠装置において、前記物置ユニットは少なくとも１つの収容エリアを備えている。前記収容エリアは前記物置ユニットに複数の溝と共に凹状に形成されている。前記複数の溝が収容エリアの両側の縁に形成されている。
【手続補正３】
【補正対象書類名】明細書
【補正対象項目名】００２０
【補正方法】変更
【補正の内容】
【００２０】
開放状態のとき、前記物置ユニット２の自由端部２３は扉５から離れた位置にあり、前記物置ユニット２及びその収容エリア２１は傾斜状（または略直立状）を呈し、前記収容エリア２１に物品を置くことはできない状態となる。かつ、前記物置ユニット２の一側が前記壁４に対応し、同時に前記物置ユニット２一側のガイド棒２２がガイド溝３２の扉５から離れた一端に位置する。前記収容エリアは前記物置ユニットに複数の溝と共に凹状に形成されている。前記複数の溝が収容エリアの両側の縁に形成されている。